(57)【要約】【課題】  外壁材の内側への通気性を確保するとともに、雨水の吹き上がりを確実に防止できるようにしたオーバーハング部の水切り構造を提供する。【解決手段】  水切り部材２６は外壁２０の表面を伝わって流れ落ちる雨水が該外壁の下端と軒天材２５の間から入り込むのを遮断する水切り本体部材２７と、軒天材２５の端部に取り付けられる見切りアタッチメント部材２８と、に分割され、見切りアタッチメント部材２に通気通路１８に通じる通気孔３３を設け、水切り本体部材２７とアタッチメント部材２８の各々内側に、通気孔３３から導入される空気を通気空間１８に導く通気導入部３４を形成するとともに、通気導入部３４に雨水の浸入を阻止する邪魔板部３５、３６を設けている。【選択図】  図１
2006257821.tif 000002
【特許請求の範囲】
【請求項１】
外壁の内側に胴縁通気構法による通気空間を有し、前記外壁から張り出した屋根、バルコニー等のオーバーハング部において該外壁と軒天材の取り合い部分に水切り部材を納めてなる水切り構造であって、
水切り部材を、前記外壁の表面を伝わって流れ落ちる雨水が該外壁の下端と軒天材の間から入り込むのを遮断する水切り本体部材と、前記軒天材の端部に取り付けられる見切りアタッチメント部材と、に分割し、前記見切りアタッチメント部材に前記通気通路に通じる通気孔を設けたことを特徴とするオーバーハング部の水切り構造。
【請求項２】
前記水切り本体部材と見切りアタッチメント部材の各々内側に、前記通気孔から導入される空気を前記通気空間に導く通気導入部を形成するとともに、前記通気導入部に雨水の浸入を阻止する邪魔板部を設けたことを特徴とする請求項１に記載のオーバーハング部の水切り構造。
【請求項３】
前記邪魔板部は、前記水切り本体部材と見切りアタッチメント部材の内側に形成されたリブまたは穴をあけた隔壁部の組み合わせからなることを特徴とする請求項２に記載のオーバーハング部の水切り構造。
【請求項４】
前記水切り本体部品と見切りアタッチメント部材との境目部分には、外側に突き出る邪魔板部を形成したことを特徴とする請求項２または３に記載のオーバーハング部の水切り構造。
【請求項５】
前記水切り本体部品は、オーバーハング部と、それ以外の一般部との間で共用可能な共通部品として、一般部では、水切り部品単独で取り付け可能に構成したことを特徴とする請求項１乃至４のいずれかの項に記載のオーバーハング部の水切り構造。
【発明の詳細な説明】
【技術分野】
【０００１】
本発明は、屋根やバルコニーなど、建物の外壁から張り出したオーバーハング部の水切り構造に関する。
【背景技術】
【０００２】
建物のオーバーハング部は、下から見上げると、外壁材や軒天材の端部が見える部分であり、納まりをきっちりするために見切り縁などの部材が取り付けられるとともに、外壁の表面を伝わり落ちてくる雨水の浸入防止のために水切り部材が取り付けられている。オーバーハング部は、垂直な外壁と水平な軒天材とがそれぞれ施工の仕上げの取り合いとなる部分であり、施工上、特別の考慮が必要とされる。
【０００３】
図１０は、従来のオーバーハング部における水切り構造を示す。この図１０において、参照番号１０は、外壁材を示し、１１は軒天材、１２は水切り、１３は防水紙を示す。水切り１２は、軒天材１１から張り出すように、横架材１４に取り付けられている。外壁材１０の内側は、通気性を確保するために、内壁に並んで取り付けられている縦胴縁１５の間が通気用の通路となっており、外壁材１０の下端と水切り１２の間に通気口１６が形成されている。
【０００４】
このようなオーバーハング部では、外壁材１０を伝わり落ちてくる雨は、矢印で示すように、水切り１２から流れ落ちるため、軒天材１１からオーバーハング部の内部に浸入するのを防止できる。
【発明の開示】
【発明が解決しようとする課題】
【０００５】
しかしながら、図１０のような水切り構造では、点線矢印で示すように、通気口１６から空気の流れといっしょに雨水が吹き上がり、外壁材１０の裏側まで水が浸入してしまうという問題があった。
【０００６】
また、従来のオーバーハング部で用いる水切り１２は、垂直な外壁材１０と水平な軒天材１１とがそれぞれ施工の仕上げの取り合いとなる部分に取り付けられる。そして、通常、オーバーハング部では、外壁材１０の厚みや通気空間の巾が建物の仕様により異なる。建物によっては、水切り１２が外壁材１０の表面よりも外側に付きでなくなることもあり、水切りを建物に合わせた個別の部品とせざるを得ない。このため、従来は水切りの部品の規格を共通にして、現場で納めるときに適宜調整しながら取り付けることができないという問題があった。
【０００７】
そこで、本発明の目的は、前記従来技術の有する問題点を解消し、外壁材の内側への通気性を確保するとともに、雨水の吹き上がりを確実に防止できるようにしたオーバーハング部の水切り構造を提供することにある。
【０００８】
また、本発明の他の目的は、水切り本体を構成する部品の仕様の共通化を図り、オーバーハング以外の部分にも共通利用できるようにしたオーバーハング部の水切り構造を提供することにある。
【課題を解決するための手段】
【０００９】
前記の目的を達成するために、本発明は、外壁の内側に胴縁通気構法による通気空間を有し、前記外壁から張り出した屋根、バルコニー等のオーバーハング部において該外壁と軒天材の取り合い部分に水切り部材を納めてなる水切り構造であって、水切り部材を、前記外壁の表面を伝わって流れ落ちる雨水が該外壁の下端と軒天材の間から入り込むのを遮断する水切り本体部材と、前記軒天材の端部に取り付けられる見切りアタッチメント部材と、に分割し、前記見切りアタッチメント部材に前記通気通路に通じる通気孔を設けたことを特徴とするものである。
【００１０】
本発明では、前記水切り本体部材と見切りアタッチメント部材の各々内側に、前記通気孔から導入される空気を前記通気空間に導く通気導入部を形成するとともに、前記通気導入部に雨水の浸入を阻止する邪魔板部を設けることにより、効果的に雨水の吹き上がりを防止できる。
【００１１】
本発明では、前記邪魔板部は、前記水切り本体部材と見切りアタッチメント部材の内側に形成されたリブまたは穴をあけた隔壁部の組み合わせから構成することができる。
【００１２】
また、本発明では、前記水切り本体部品と見切りアタッチメント部材との境目部分には、外側に突き出る邪魔板部を形成することが好ましい。
【００１３】
さらに、本発明では、前記水切り本体部品は、オーバーハング部と、それ以外の一般部との間で共用可能な共通部品として、一般部では、水切り部品単独で取り付け可能に構成するようにしてもよい。
【発明の効果】
【００１４】
本発明によれば、外壁材の内側への通気性を確保するとともに、雨水の吹き上がりを確実に防止でき、さらに、水切り本体を構成する部品の仕様の共通化を図り、オーバーハング以外の部分にも共通利用することができる。
【発明を実施するための最良の形態】
【００１５】
以下、本発明によるオーバーハング部の水切り構造の一実施形態について、添付の図面を参照しながら説明する。  
図２は、本発明によるオーバーハング部の水切り構造が適用されるバルコニー付きの住宅を示す。この住宅では張り出したバルコニー１によってオーバーハング部が形成され、このバルコニー１の下側部分に水切り構造が設けられている。そこで、図２の部分Ａの断面を図１に示す。なお、図２において、外壁から張り出した部分がなく、１階と２階の外壁が平面で連続している部分Ｂは一般部といい、この部分にも後述するように水切り構造が設けられている。
【００１６】
図１において、参照番号２０は、バルコニー１の外壁材を示す。この外壁材２０の内側では、内壁下地材２１との間に通気空間１８が形成されている。この場合、通気空間１８は、任意間隔で設置された横胴縁２２と、一定の間隔で配置された縦胴縁２３を組み合わせた胴縁通気構法により形成されている。内壁下地材２１の表面には、防水紙２４が貼付されている。
【００１７】
参照番号２５は軒天材を示す。この軒天材２５と外壁材２０の取り合い部分に、参照番号２６で示す水切り部材が納められている。  
この水切り部材２６は、水切り本体部材２７と、見切りアタッチメント部材２８の二つの部材に分割されており、このうち、水切り本体部材２７は、外壁材２０の表面を伝わって流れ落ちる雨水に対して水切り処置を施すことを本来の目的とする部材である。見切りアタッチメント部材２８は、軒天材２５の仕上げの終わる部分に取り付けられるアタッチメントである。
【００１８】
本実施形態の水切り構造では、水切り本体部材２７は、釘またはねじ２９により横胴縁２２に取り付けられ、見切りアタッチメント部材２８は釘またはねじ３０により横架材３１に固定されている。
【００１９】
水切り本体部材２７には、曲率Ｒの曲面をなす曲面部３２が形成されており、この曲面部３２は、外壁材２０の表面よりも外側に突き出るようになっており、外壁材２０の表面を流れ落ちた雨水を曲面部３２で受けるように構成されている。
【００２０】
見切りアタッチメント部材２８の下面には、通気孔３３が形成されており、この通気孔３３は、水切り本体部材２７と見切りアタッチメント部材２８の内側に形成される通気導入部３４の導入口になっている。通気導入部３４は、通気空間１８に連通している。
【００２１】
本実施形態では、通気導入部３４において、雨水の伝わりを阻止する邪魔板として機能するものとして、水切り本体部材２７と見切りアタッチメント部材２８の内側に形成されたリブ３５、３６が利用されている。これらのリブ３５、３６が通気導入部３４に互い違いに張り出すようになっているので、通気導入部３４には大きく蛇行する通路が形成されている。
【００２２】
また、邪魔板部として機能するものは、通気導入部３４以外にも設けられている。この実施形態では、水切り本体部品２７と見切りアタッチメント部材２８との境目部分には、凹部４０が落ち込んでおり、この凹部４０の両側に邪魔板部を構成するリブ４１、４２が突き出るようになっている。
【００２３】
なお、図４は、オーバーハング部の出隅の部分における水切り本体部を示す（図  におけるＣ部の部分）。この出隅部分では、水切り本体部材２７ａ、２７ｂが直角に突き合わされる部分ができるので、この突き合わせ部分では、図４に示すように、溶接箇所３７、３８の２カ所で溶接するようにしている。この場合、水切り本体２７ａ、２７ｂの裏側では、溶接箇所３８よりも後方にリブ３５が突き出ているので、リブ３５を突っ張りに利用して、水切り本体部材２７ａ、２７ｂの付き合わせ部分の先端３９ａ、３９ｂが開いて隙間が生じないように容易に溶接することが可能となる。
【００２４】
本実施形態によるオーバーハング部の水切り構造は、以上のように構成されるものであり、次に、その作用並びに効果について説明する。
【００２５】
図１において、本実施形態のオーバーハング部では、外壁材１０を伝わり落ちてくる雨は、実線の矢印で示すように、水切り本体部材２７で受けられ、曲面部３２から下に流れ落ちるので、オーバーハング部の内部に浸入するのを防止できる。しかも、水切り本体部材２７と見切りアタッチメント部材２８との境目部分で邪魔板部として機能するリブ４１、４２があるので、水切り本体部材２７の曲面部３２を滴る水滴が風で通気孔３３の方へ吹き寄せられるのを効果的に遮断する。
【００２６】
見切りアタッチメント部材２８の通気孔３３から入る空気の流れは、図１で鎖線矢印で示すようになり、邪魔板部として機能するリブ３６、３５にぶつかりながら蛇行することになる。このため、空気といっしょに雨水が吹き上がったとしても、リブ３６、３５に衝突して下に落ちるので、外壁材２０の内側の通気空間２２まで水が浸入するのを確実に阻止できる。したがって、通気孔３３から入る空気は、空気導入部３４の邪魔板部を兼ねるリブ３５、３６にあって雨水を落としながら通気空間１８に抜けることになるので、内外壁が雨水によって過度に湿潤してしまうことがない。
【００２７】
さらに、本実施形態では、オーバーハング部で用いる水切り部材２６を、水切り本体部材２７と見切りアタッチメント部材２８の二つの部材に分割してあるため、水切り本体部材２７の方を共通の汎用性のある部材とすることができる。
【００２８】
例えば、図２で、一般部におけるＢ部分の水切り構造では、図３に示すように、
水切り本体部材２７をオーバーハング部と同じものをそのままで取り付けることができる。これにより、オーバーハング部と一般部とで水切り部品が共通化することから、外観意匠の統一を容易に行える。
【００２９】
また、水切り本体部材２７と見切りアタッチメント部材２８の二つの部材に分割していることから、外壁材２０と軒天材２５をそれぞれ施工の仕上げ上、取り合いとなることから調整が必要となるところ、見切りアタッチメント部材２８の方について個々の建物に合わせて寸を詰めたり、取り付け位置をずらしたりして現場での調整を簡単に行えるようになる。
【００３０】
次に、図５乃至図９を参照しながら、本発明によるオーバーハング部の水切り構造の他の実施形態について説明する。  
これら図５乃至図９の水切り構造では、水切り本体部材２７と見切りアタッチメント部材２８の内部における空気導入部３４の邪魔板部についてのバリエーションの例を示す。
【００３１】
図５の水切り構造では、水切り本体部材２７の内側に形成されたリブ３５を邪魔板部として利用するとともに、見切りアタッチメント部材２８では、隔壁４４に孔４５を設け、通気導入部３４には大きく蛇行する通路が形成されている。
【００３２】
図６は、見切りアタッチメント部材２８にさらに隔壁４４、４６を二重に設けた上で各隔壁４４、４６に孔４７、４８をあけ、水切り本体部材２７のリブと組み合わせることで、通気導入部３４には大きく蛇行する通路が形成されている。  
図７は、図６と基本的には同じであるが、孔４８の位置をずらすようにした例である。  
図８では、図７の隔壁４６を取り除くようにして構成した例である。
【００３３】
図９では、水切り本体部材２７の内側に形成された邪魔板部として、２枚のリブ３５、５０を設け、そのうち下側のリブ５０を見切りアタッチメント部材２８のリブ３６と重なり合う部分を形成するように延ばした例である。この図９の例では、空気導入部３４では通気の通路がヘアピン状により大きく蛇行するようになるので、雨水をより確実に落とすことができる。
【００３４】
以上の図５乃至図９の例から明らかなように、空気導入部３４では、リブと隔壁の孔とを組み合わせには多様なバリエーションが可能であり、図５乃至図９に限定されるものでないことはもちろんである。
【図面の簡単な説明】
【００３５】
【図１】本発明によるオーバーハング部の水切り構造の一実施形態を示す断面図。
【図２】同オーバーハング部の水切り構造が適用される住宅の外観図。
【図３】図２の住宅の一般部に設けられる水切り構造を示す断面図。
【図４】オーバーハング部の出隅部分における水切り本体部材の突き合わせ部分を示す平面図。
【図５】本発明によるオーバーハング部の水切り構造において、空気導入部内の邪魔板部の第１バリエーションを示す断面図。
【図６】本発明によるオーバーハング部の水切り構造において、空気導入部内の邪魔板部の第２バリエーションを示す断面図。
【図７】本発明によるオーバーハング部の水切り構造において、空気導入部内の邪魔板部の第３バリエーションを示す断面図。
【図８】本発明によるオーバーハング部の水切り構造において、空気導入部内の邪魔板部の第４バリエーションを示す断面図。
【図９】本発明によるオーバーハング部の水切り構造において、空気導入部内の邪魔板部の第５バリエーションを示す断面図。
【図１０】従来のオーバーハング部の水切り構造の一実施形態を示す断面図。
【符号の説明】
【００３６】
２０  外壁材
２２  横胴縁
２３  縦胴縁
２４  防水紙
２５  軒天材
２７  水切り本体部材
２８  見切りアタッチメント部材
３２  曲面部
３４  通気導入部
３５、３６  リブ（邪魔板部）
４１、４２  リブ（邪魔板部）
【図１】
2006257821.tif 000003
【図２】
2006257821.tif 000004
【図３】
2006257821.tif 000005
【図４】
2006257821.tif 000006
【図５】
2006257821.tif 000007
【図６】
2006257821.tif 000008
【図７】
2006257821.tif 000009
【図８】
2006257821.tif 000010
【図９】
2006257821.tif 000011
【図１０】
2006257821.tif 000012